(57)【特許請求の範囲】
【請求項１】
透液性表面シートと、不透液性裏面シートと、これら両シート間に体液吸収体を有する使い捨ておむつにおいて、
前記吸収体は、第１透液性シートに被覆されて前記おむつの股下域を中心に前後方向ヘ延びるとともに前記おむつの胴周り方向へ広がって前記表面シートに当接する体液吸収性のパネル部分と、前記パネル部分と前記裏面シートとの間にあって前記おむつの前後方向へ延び、前記おむつの胴周り方向において前記パネル部分よりも幅狭く形成された体液吸収性の帯状部分とからなり、前記帯状部分は体液を吸収して膨潤する高吸収性ポリマーを２０〜１００重量％含む体液吸収性材料を伸長性の第２透液性シートで被覆することにより形成され、前記第２透液性シートが弾性的な伸長性を有するシートで形成されることによって前記伸長性を有していることを特徴とする前記おむつ。
【請求項２】
透液性表面シートと、不透液性裏面シートと、これら両シート間に体液吸収体を有する使い捨ておむつにおいて、
前記吸収体は、第１透液性シートに被覆されて前記おむつの股下域を中心に前後方向ヘ延びるとともに前記おむつの胴周り方向へ広がって前記表面シートに当接する体液吸収性のパネル部分と、前記パネル部分と前記裏面シートとの間にあって前記おむつの前後方向へ延び、前記おむつの胴周り方向において前記パネル部分よりも幅狭く形成された体液吸収性の帯状部分とからなり、前記帯状部分は体液を吸収して膨潤する高吸収性ポリマーを２０〜１００重量％含む体液吸収性材料を伸長性の第２透液性シートで被覆することにより形成され、前記第２透液性シートが非弾性的なシートに多数のひだを形成することによって前記伸長性を有していることを特徴とする前記おむつ。
【請求項３】
前記帯状部分が前記おむつの幅方向において少なくとも１本形成されている請求項１または２記載のおむつ。
【請求項４】
前記おむつの股下域において、前記帯状部分の幅および長さが前記パネル部分の幅および長さよりも小さい請求項１〜３のいずれかに記載のおむつ。
【請求項５】
前記裏面シートが１０００〜１００００ｃｃ／Ｈ２Ｏ／２４ｈの透湿度を有するものである請求項１〜４のいずれかに記載のおむつ。
【請求項６】
前記帯状部分が前記ポリマーと粉砕パルプとを含む請求項１〜５のいずれかに記載のおむつ。
【請求項７】
前記帯状部分が前記パネル部分の下面に形成された凹部に収まっている請求項１〜６のいずれかに記載のおむつ。
【発明の詳細な説明】
【０００１】
【発明の属する技術分野】
この発明は、使い捨ておむつに関する。
【０００２】
【従来の技術】
特開平９−１４０７４２号公報に開示された使い捨ておむつは、尿が排泄されたことを母親に知らせるインジケータを有する。このインジケータは、光透過性の裏面シートと、裏面シートの内側に形成された塗料層とからなる。この塗料層は、尿で濡れると顕在化し、裏面シートの外側から透視することができる。
【０００３】
【発明が解決しようとする課題】
前記従来技術において、尿で濡れた塗料層の透視を容易にするために、光線透過率の高いプラスチックフィルムを裏面シートとして使用することがある。一方、裏面シートを通気不透液性のものにしたい場合には、硫酸バリウムや炭酸カルシウム等の無機物粒子を混入したプラスチックフィルムを使用することがある。このプラスチックフィルムで通気性を向上させるには、無機物粒子の混入割合を高くすればよいが、そうすることは、このフィルムの光線透過率を低下させることになる。つまり、前記従来技術の裏面シートでは、塗料層の透視を容易にすることと、通気性を向上させることとが相反する関係にある。
【０００４】
そこで、この発明では、尿が排泄されたことをおむつの外側から容易に察知することができるとともに、裏面シートに高い通気性をもたせることができる使い捨ておむつの提供を課題にしている。
【０００５】
【課題を解決するための手段】
前記課題解決のためにこの発明が対象とするのは、透液性表面シートと、不透液性裏面シートと、これら両シート間に体液吸収体を有する使い捨ておむつである。
【０００６】
かかるおむつにおいて、この発明の一つの態様が特徴とするところは、次のとおりである。
前記吸収体は、第１透液性シートに被覆されて前記おむつの股下域を中心に前後方向ヘ延びるとともに前記おむつの胴周り方向へ広がって前記表面シートに当接する体液吸収性のパネル部分と、前記パネル部分と前記裏面シートとの間にあって前記おむつの前後方向へ延び、前記おむつの胴周り方向において前記パネル部分よりも幅狭く形成された体液吸収性の帯状部分とからなり、前記帯状部分は体液を吸収して膨潤する高吸収性ポリマーを２０〜１００重量％含む体液吸収性材料を伸長性の第２透液性シートで被覆することにより形成され、前記第２透液性シートが弾性的な伸長性を有するシートで形成されることによって前記伸長性を有していることにある。
また、この発明のもう一つの態様が特徴とするところは、前記第２透液性シートが非弾性的なシートに多数のひだを形成することによって前記伸長性を有していることにある。
【０００７】
【発明の実施の形態】
添付の図面を参照して、この発明に係る使い捨ておむつの詳細を説明すると、以下のとおりである。
【０００８】
図１に部分破断平面図で示された使い捨ておむつ１は、透液性表面シート２と、不透液性裏面シート３と、これら両シート２，３間に介在する体液吸収体４を有する。表面シート２と裏面シート３とは、吸収体４の周縁から延出して重なり合い、接着または溶着によって互いに接合し、前後のエンドフラップ１１，１２とサイドフラップ１３とを形成している。おむつ１の前後方向には、前胴周り域６と、後胴周り域７と、これら両域６，７間に位置する股下域８とが形成されている。前後のエンドフラップ１１，１２とサイドフラップ１３の股下域８とでは、前後胴周り弾性部材１４，１６と脚周り弾性部材１７とが表裏面シート２，３の間にあって、これらシート２，３の少なくとも一方の内面に伸長状態で接着されている。後胴周り域７のサイドフラップ１３には、テープファスナ１８が取り付けられている。吸収体４は、表面シート２の下面に当接する体液吸収性のパネル部分２１と、パネル部分２１の下面に当接する体液吸収性の帯状部分２２とを有する。パネル部分２１は、おむつ１の幅方向へ広がるとともに、股下域８を中心におむつ１の前後方向へ延びていて、通常では図示のような砂時計型またはほぼ矩形に形成される。帯状部分２２は、パネル部分２１よりも幅が狭く、長さが短く、好ましい帯状部分２２は、股下域８における幅がパネル部分２１のそれの３〜４０％の範囲にある。
【０００９】
図２は、図１のＩＩ−ＩＩ線切断面を示す図面である。吸収体４のうちのパネル部分２１は、粉砕パルプを６０〜１００重量％含む吸収性材料２３をティッシュペーパや不織布等の第１透液性シート２４(図１を併せて参照)で被覆することにより形成され、好ましいパネル部分２１は、６〜１２０ｍＮ・ｃｍのガーレー剛性値を有する。パネル部分２１は、表面シート２の内面にホットメルト接着剤等によって間欠的に接着することができる。また、吸収性材料２３は、第１透液性シート２４の内面に間欠的に接着することができる。
【００１０】
帯状部分２２は、高吸収性ポリマー粒子２６を２０〜１００重量％含む吸収性材料を第２透液性シート２７で被覆することにより形成され、前後の端部２８，２９は、その吸収性材料がこぼれないようにシールされている（図１参照）。ポリマー粒子２６は、尿を吸収すると膨潤するが、第２透液性シート２７にはその膨潤を妨げることがないような伸長性のものが使用される。例えば、第２透液性シート２７には、弾性糸や捲縮繊維からなる弾性的な伸長性を有する不織布を使用することができる。また、多数のひだを有することによって伸長性を発揮できる非弾性的な不織布や織布、プラスチックフィルム等のシート材料を使用することもできる。好ましい帯状部分２２は、その下面の内側に粉砕パルプの薄層３２を有する。薄層３２の存在によって、ポリマー粒子２６は裏面シート３を突き破ることがない。
【００１１】
パネル部分２１の下面と帯状部分２２の上面とは、よく密着させてパネル部分２１の尿が帯状部分２２へ浸透し易いようにする。好ましくは、パネル部分２１と帯状部分２２とを間欠的に分布する接着剤３１を使って密着させる。
【００１２】
図３は、帯状部分２２においてポリマー粒子２６が膨潤したときの図２と同様な図面である。帯状部分２２の第２透液性シート２７は、伸長性のもの、より好ましくはおむつ１の幅方向に伸長性のもの、さらに好ましくはおむつ１の幅方向とそれに直交する方向とに伸長性のものであり、裏面シート３もまた伸長性のもの、より好ましくはおむつ１の幅方向に伸長性のもの、より好ましくはおむつ１の幅方向とそれに直交する方向とに伸長性のものである。パネル部分２１に吸収された尿は、帯状部分２２に浸透可能であり、浸透した尿がポリマー粒子２６に吸収されると、粒子２６が膨潤して帯状部分２２は第２透液性シート２７と裏面シート３とを伸長させながら図示のように、おむつ１の外側へ向かって膨らむ。おむつ１の外側からは、その膨らんだ様子を見ることによって、および／または、おむつ１に手を当てて帯状部分２２が膨らんだことを知ることによって、尿が排泄されたことを知ることができる。このようにして尿の排泄の有無を知ることができるこのおむつ１では、高い通気性を得るために多量の無機物粒子を含み、光線透過率が比較的低い裏面シート３を使用しても、尿の排泄の有無を知ることの妨げにならない。このおむつ１では、例えば透湿度が１０００〜１００００ｃｃ／Ｈ２Ｏ／２４ｈ、より好ましくは２０００〜８０００ｃｃ／Ｈ２Ｏ／２４ｈの裏面シートを使用することができる。
【００１３】
図４は、この発明の実施態様の一例を示す図２と同様の図面である。このおむつ１は、互いに平行しておむつ１の前後方向ヘ延びる少なくとも２本の帯状部分２２を有する。それぞれの帯状部分２２は、図２のそれと同様にポリマー粒子２６と粉砕パルプとが第２透液性シート２７によって被覆されていて、パネル部分２１の下面側に形成された２条の凹部３６に収まり、吸収体４の下面が平坦に形成されている。帯状部分２２は、ポリマー粒子２６が尿を吸収すると、図の下方へ向かって膨らみ、仮想線で示されるように２条の隆起部３７を形成する。このようなおむつ１では、その外面に凹凸が生じるから、目で見ても手で触っても尿が排泄されたことを図３の場合よりも簡単に確認できるというメリットがある。また、帯状部分２２が膨らむ前のおむつ１は、外面が平坦であるから、おむつ１着用者が床に座ったときなどに、帯状部分２２が邪魔になるということがない。
【００１４】
この発明に係るおむつ１では、パネル部分２１から帯状部分２２ヘの尿の浸透を促進するために、パネル部分２１のうちで帯状部分２２に当接する部位とその上方の部位は、８０〜１００重量％の粉砕パルプと２０〜０重量％の熱可塑性合成繊維とで構成されることが好ましい。また、これらの部位は、表面シート２から裏面シート３へ向かう方向において、密度が次第に高くなっていることが好ましい。高吸収性ポリマーは、粒子状のものに代えて繊維状のものを使用したり、粒子状のものと繊維状のものとを混合して使用したりすることができる。
【００１５】
【発明の効果】
この発明に係る使い捨ておむつの吸収体は、裏面シートの内側に位置する帯状部分が高吸収性ポリマーを含み、このポリマーが尿を吸収すると帯状部分がおむつの外側へ向かって膨らむから、その膨らみによって尿が排泄されたことを知ることができる。このようなおむつでは、無機物粒子を多く含むことによって通気性が高く光線透過率の低い裏面シートを使用しても、尿の排泄の有無を知ることの妨げにならない。
【図面の簡単な説明】
【図１】  使い捨ておむつの部分破断平面図。
【図２】  図１のＩＩ−ＩＩ線切断面を示す図面。
【図３】  帯状部分が膨らんだ状態にある図２と同様な図面。
【図４】  実施態様の一例を示す図２と同様な図面。
【符号の説明】
１      おむつ
２      表面シート
３      裏面シート
４      吸収体
２１      パネル部分
２２      帯状部分
２４      第１透液性シート
２６      ポリマー（ポリマー粒子）
２７      第２透液性シート
３６    凹部
【図１】
0003930695.tif 000002
【図２】
0003930695.tif 000003
【図３】
0003930695.tif 000004
【図４】
0003930695.tif 000005